(57)【要約】  【課題】室内障子及び室外障子が共に閉鎖された状態でクレセント錠の施錠操作が行われたかどうかを操作者（居住者等）が一目で確認できるようにすることにより、クレセントの空掛けを防止する。  【解決手段】施錠金具２側に、クレセント５の回動操作時に室内障子及び室外障子が正常に閉鎖されているならばクレセント受け金具１１への当接を条件にスライド動作し、前記室内障子及び室外障子が正常に閉鎖されていないならば位置が不動とされるスライダー８を設けるとともに、該スライダー８に、着色されたマーカー部１２を設けておき、障子閉鎖状態で施錠が成された場合に前記スライダー８が移動することにより、前記マーカー部１２が前記操作レバー６に形成された窓部６ｃを通し室内側から視認可能とする。【選択図】図２
2006037525.tif 000002
【特許請求の範囲】
【請求項１】
室内障子側に固定されるベース部材と、このベース部材に回動自在に取り付けられたクレセントと、このクレセントを回動操作する操作レバーとを備える施錠金具、及び室外障子側に固定され前記クレセントが係合するためのフック部を有するクレセント受け金具からなるクレセント錠において、
前記施錠金具側に、クレセントの回動操作時に室内障子及び室外障子が正常に閉鎖されているならばクレセント受け金具への当接を条件にスライド動作し、前記室内障子及び室外障子が正常に閉鎖されていないならば位置が不動とされるスライダーを設けるとともに、該スライダーに、着色されたマーカー部を設けておき、障子閉鎖状態で施錠が成された場合に前記スライダーが移動することにより、前記マーカー部が前記操作レバーに形成された窓部を通し室内側から視認可能としたことを特徴とするクレセント錠。
【請求項２】
室内障子側に固定されるベース部材と、このベース部材に回動自在に取り付けられたクレセントと、このクレセントを回動操作する操作レバーとを備える施錠金具、及び室外障子側に固定され前記クレセントが係合するためのフック部を有するクレセント受け金具からなるクレセント錠において、
前記施錠金具側に、クレセント受け金具に一端側が当接するように揺動可能に作動部材を設けるとともに、前記操作レバー部分に、クレセント側に向けて付勢保持されるとともに、前記作動部材の他端側に形成された突部が係合する線状溝が形成されたスライダーを設け、かつ前記ベース部材に対して前記スライダーの先端部が摺接する摺接部を形成するとともに、前記摺接部には中間部から回動終端までの範囲に前記スライダーの先端部が乗上げ状態で係合する乗上げ摺接部が形成され、
前記クレセントの回動操作時に室内障子及び室外障子が正常に閉鎖されているならば前記作動部材の一端側がクレセント受け金具に当接し、引き続き操作レバーを回動させると、前記スライダーに形成された線状溝内を作動部材の突部が摺動することにより前記操作レバーの回動が許容され、かつ前記スライダーが付勢力に抗してスライド動作すると共に、作動部材が揺動することにより、前記スライダーの先端が前記乗上げ摺接部に乗り上げた状態とされ、前記室内障子及び室外障子が正常に閉鎖されていないならば、操作レバーの回動時に前記スライダーは前記乗上げ摺動部に乗り上げることなく位置が不動の状態とされ、
前記スライダーに、着色されたマーカー部を設けておき、障子閉鎖状態で施錠が成された場合に前記スライダーが移動することにより、前記マーカー部が前記操作レバーに形成された窓部を通し室内側から視認可能としたことを特徴とするクレセント錠。
【請求項３】
前記スライダーの線状溝は、回動方向に対する接線方向に形成されている請求項２記載のクレセント錠。
【請求項４】
前記作動部材及びスライダーは、操作レバーの内面側に形成した窪み状空間部に設置してある請求項２、３いずれかに記載のクレセント錠。
【請求項５】
室内障子側に固定されるベース部材と、このベース部材に回動自在に取り付けられたクレセントと、このクレセントを回動操作する操作レバーとを備える施錠金具、及び室外障子側に固定され前記クレセントが係合するためのフック部を有するクレセント受け金具からなるクレセント錠において、
前記施錠金具側に、クレセント側に向けて付勢保持されたスライダーを設け、かつ前記ベース部材に対して前記スライダーに設けた突起部が摺接する摺接部を形成するとともに、前記摺接部の中間部から回動終端までの範囲に前記スライダーに形成した突起部が乗上げ状態で係合する乗上げ摺接部が形成され、
前記クレセントの回動操作時に室内障子及び室外障子が正常に閉鎖されているならば前記スライダーの先端がクレセント受け金具に当接し、引き続き操作レバーを回動させると、前記スライダーの先端がクレセント受け金具面を摺接することによりスライダーが付勢力に抗して押し込まれ、前記スライダーの突起部が前記乗上げ摺接部に乗り上げた状態とされ、前記室内障子及び室外障子が正常に閉鎖されていないならば、操作レバーの回動時に前記スライダーの突起部は前記乗上げ摺接部に乗り上げることなく位置が不動の状態とされ、
前記スライダーに、着色されたマーカー部を設けておき、障子閉鎖状態で施錠が成された場合に前記スライダーが移動することにより、前記マーカー部が前記操作レバーに形成された窓部を通し室内側から視認可能としたことを特徴とするクレセント錠。
【発明の詳細な説明】
【技術分野】
【０００１】
本発明は、室内障子及び室外障子が共に閉鎖された状態で施錠が成されたかどうかを一目で確認可能とした空掛け防止クレセント錠に関する。
【背景技術】
【０００２】
従来より、引き違い窓等のサッシ用施錠装置としてクレセント錠が知られている。このクレセント錠は、図１６に示されるように、室内障子５４の縦框に取り付けられるベース部材５１と、このベース部材５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（例えば、下記特許文献１等参照）。
【０００３】
また、上記クレセント錠５０の場合は、内障子又は外障子が開放状態にあっても、クレセント５２を回動させることが可能であり、この施錠状態のまま障子を閉めると、外障子の縦框（召合せ框含む。）が室外側に突出したクレセント５２に衝突し、クレセントが変形したり損傷したりすることがある。これを防止するために、例えば下記特許文献２では、室内障子及び室外障子が共に閉鎖された状態にある時以外は、クレセント錠の操作レバーが施錠方向に回動できないようにした空掛け防止機能を備えたクレセント錠が提案されている。具体的に、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【０００４】
また、本出願人も下記特許文献３において、クレセントを含む回動側に、クレセントの回動操作時に室内障子及び室外障子が正常に閉鎖されているならば、クレセント受け金具に一端側が当接するように揺動可能に作動部材を設けるとともに、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容されるとともに、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたクレセント錠を提案した。
【特許文献１】特開平１１−９３４８８号公報
【特許文献２】特開平９−１５８５８４号公報
【特許文献３】特願２００４−４１１２１
【発明の開示】
【発明が解決しようとする課題】
【０００５】
しかしながら、前述のような室内障子及び室外障子が共に閉鎖された状態時にのみ施錠を可能とした空掛け防止機能付きのクレセント錠は、居住者が誤って室内障子及び／又は室外障子が開いた状態で施錠を図ろうとした場合、途中までは操作レバーの回動操作が可能であるため、過大な力を加え過ぎることがあり、クレセント錠を破壊してしまうことがあった。このような問題点を考えると、従来の空掛け防止機能付きのクレセント錠は、室内障子及び／又は室外障子が開いた状態では施錠が図れない点では誤施錠が無くなる点では好ましいものの、必ずしも好ましいものではないことが明らかになった。
【０００６】
そこで本発明の主たる課題は、室内障子及び室外障子が共に閉鎖された状態でクレセント錠の施錠操作が行われたかどうかを操作者（居住者等）が一目で確認できるようにすることにより、クレセントの空掛けを防止することにある。
【課題を解決するための手段】
【０００７】
前記課題を解決するために請求項１に係る本発明として、室内障子側に固定されるベース部材と、このベース部材に回動自在に取り付けられたクレセントと、このクレセントを回動操作する操作レバーとを備える施錠金具、及び室外障子側に固定され前記クレセントが係合するためのフック部を有するクレセント受け金具からなるクレセント錠において、
前記施錠金具側に、クレセントの回動操作時に室内障子及び室外障子が正常に閉鎖されているならばクレセント受け金具への当接を条件にスライド動作し、前記室内障子及び室外障子が正常に閉鎖されていないならば位置が不動とされるスライダーを設けるとともに、該スライダーに、着色されたマーカー部を設けておき、障子閉鎖状態で施錠が成された場合に前記スライダーが移動することにより、前記マーカー部が前記操作レバーに形成された窓部を通し室内側から視認可能としたことを特徴とするクレセント錠が提供される。
【０００８】
請求項２に係る本発明として、室内障子側に固定されるベース部材と、このベース部材に回動自在に取り付けられたクレセントと、このクレセントを回動操作する操作レバーとを備える施錠金具、及び室外障子側に固定され前記クレセントが係合するためのフック部を有するクレセント受け金具からなるクレセント錠において、
前記施錠金具側に、クレセント受け金具に一端側が当接するように揺動可能に作動部材を設けるとともに、前記操作レバー部分に、クレセント側に向けて付勢保持されるとともに、前記作動部材の他端側に形成された突部が係合する線状溝が形成されたスライダーを設け、かつ前記ベース部材に対して前記スライダーの先端部が摺接する摺接部を形成するとともに、前記摺接部には中間部から回動終端までの範囲に前記スライダーの先端部が乗上げ状態で係合する乗上げ摺接部が形成され、
前記クレセントの回動操作時に室内障子及び室外障子が正常に閉鎖されているならば前記作動部材の一端側がクレセント受け金具に当接し、引き続き操作レバーを回動させると、前記スライダーに形成された線状溝内を作動部材の突部が摺動することにより前記操作レバーの回動が許容され、かつ前記スライダーが付勢力に抗してスライド動作すると共に、作動部材が揺動することにより、前記スライダーの先端が前記乗上げ摺接部に乗り上げた状態とされ、前記室内障子及び室外障子が正常に閉鎖されていないならば、操作レバーの回動時に前記スライダーは前記乗上げ摺動部に乗り上げることなく位置が不動の状態とされ、
前記スライダーに、着色されたマーカー部を設けておき、障子閉鎖状態で施錠が成された場合に前記スライダーが移動することにより、前記マーカー部が前記操作レバーに形成された窓部を通し室内側から視認可能としたことを特徴とするクレセント錠が提供される。
【０００９】
請求項３に係る本発明として、前記スライダーの線状溝は、回動方向に対する接線方向に形成されている請求項２記載のクレセント錠が提供される。
【００１０】
請求項４に係る本発明として、前記作動部材及びスライダーは、操作レバーの内面側に形成した窪み状空間部に設置してある請求項２．３いずれかに記載のクレセント錠が提供される。
【００１１】
請求項５に係る本発明として、室内障子側に固定されるベース部材と、このベース部材に回動自在に取り付けられたクレセントと、このクレセントを回動操作する操作レバーとを備える施錠金具、及び室外障子側に固定され前記クレセントが係合するためのフック部を有するクレセント受け金具からなるクレセント錠において、
前記施錠金具側に、クレセント側に向けて付勢保持されたスライダーを設け、かつ前記ベース部材に対して前記スライダーに設けた突起部が摺接する摺接部を形成するとともに、前記摺接部の中間部から回動終端までの範囲に前記スライダーに形成した突起部が乗上げ状態で係合する乗上げ摺接部が形成され、
前記クレセントの回動操作時に室内障子及び室外障子が正常に閉鎖されているならば前記スライダーの先端がクレセント受け金具に当接し、引き続き操作レバーを回動させると、前記スライダーの先端がクレセント受け金具面を摺接することによりスライダーが付勢力に抗して押し込まれ、前記スライダーの突起部が前記乗上げ摺接部に乗り上げた状態とされ、前記室内障子及び室外障子が正常に閉鎖されていないならば、操作レバーの回動時に前記スライダーの突起部は前記乗上げ摺接部に乗り上げることなく位置が不動の状態とされ、
前記スライダーに、着色されたマーカー部を設けておき、障子閉鎖状態で施錠が成された場合に前記スライダーが移動することにより、前記マーカー部が前記操作レバーに形成された窓部を通し室内側から視認可能としたことを特徴とするクレセント錠が提供される。
【００１２】
上記請求項１〜５いずれかに記載の本発明においては、施錠金具側に、クレセントの回動操作時に、正常に障子が閉鎖されている場合のみスライド動作するスライダーを設けるとともに、このスライダーに、着色されたマーカー部を設けておき、障子閉鎖状態で施錠が成された場合に前記スライダーが移動することにより、前記マーカー部が前記操作レバーに形成された窓部を通し室内側から視認可能としてある。従って、操作者は、前記クレセントを回動操作した際、操作レバーの窓部にマーカーが現れれば、正常に施錠が成されたことを目視により確認できるようになり、クレセント錠の空掛けを防止できるようになる。
【発明の効果】
【００１３】
以上詳説のとおり本発明によれば、室内障子及び室外障子が共に閉鎖された状態で施錠操作が行われたかどうかを操作者（居住者等）が一目で確認できるようになり、クレセント錠の空掛けを未然に防止できるようになる。
【発明を実施するための最良の形態】
【００１４】
以下、本発明の２つの実施形態について図面を参照しながら詳述する。
【００１５】
〔第１形態例〕
図１は本発明に係るクレセント錠１を示す図であり、図２は施錠状態を示す、(A)は正面図、(B)は側面図、図３はクレセント錠１の分解図である。
【００１６】
クレセント錠１は、室内障子の召合せ縦框にビス等で取り付けられるベース部材３と、このベース部材３に対して回動軸４を回転中心として回動自在に取り付けられたクレセント５と、前記回動軸４と一体的に連設され前記クレセント５を回動操作する操作レバー６と、室内障子及び室外障子が共に閉鎖された状態でクレセント錠の施錠操作が行われたかどうかを操作者（居住者等）が一目で確認できるようにするために追加された作動部材７及びスライダー８とからなる施錠側金物２、及び室外障子の召合せ縦框にビス等で取り付けられ、前記クレセント５が係合するためのフックを備えたクレセント受け金具１１からなる。
【００１７】
そして、図２に示されるように、前記操作レバー６を摘み、クレセント５をほぼ１８０度範囲で回動させることにより、クレセント５の周囲に形成された、壁高を漸次テーパー状に変化させた環状周壁５Ａが前記クレセント受け金具１１に対して係脱し、窓の施錠または解錠が成されるようになっている。
【００１８】
本クレセント錠１では、室内障子及び室外障子が共に閉鎖された状態にある時に施錠が成された場合、前記スライダー８に設けられたマーカー部１２が、前記操作レバー６に形成された窓部６ｃを通し室内側から視認可能としたものである。すなわち、図２に示されるように、室内障子及び室外障子が共に閉鎖された状態で施錠操作が成された場合には、クレセント５がクレセント受け金具１１への当接を条件に、操作レバー６に内設された前記スライダー８が移動し、スライダー８の側面に形成されたマーカー部１２が窓部６ｃから確認できるようにしたものである。
【００１９】
以下、さらに詳細にクレセント錠１の構造及び前記スライダー８のスライド機構について詳述する。
【００２０】
先ず、前記ベース部材３は、図３及び図４に示されるように、縦方向に長い立方体状の部材で、基台部３Ａと、ボス部３Ｂとからなる。前記基台部３Ａは上下部にそれぞれビス孔３ａが形成され、室内障子の召合せ框に対してビス等で固定されるようになっている。前記ボス部３Ｂは、クレセント５が回動自在に取り付けられる台座面を構成する部分で略円形を成し、前記基台部３Ａよりも高く形成されているとともに、中央に操作レバー６の回動軸４が挿通される軸孔３ｂが形成されている。
【００２１】
前記ボス部３Ｂの周囲には、スライダー８の先端部が摺接する第１摺接部３ｃ及び第２摺接部３ｄが形成されている。前記第１摺接部３ｃは操作レバー６の全回動範囲に亘ってボス３Ｂの内方側に形成された摺接部であり、前記第２摺接部３ｄは、前記第１摺接部３ｃの外側に溝３ｅを空けた状態でボス部３Ｂのほぼ外周に沿って操作レバー６の回動範囲の内、中間部から回動終端までの範囲に亘って形成された摺接部であり、本例では前記第１摺接部３ｃよりも低く形成されている。この第２摺接部３ｄは、本発明における「乗上げ摺接部」を形成するものである。
【００２２】
なお、本形態例では、前記第１及び第２摺接部３ｃ、３ｄを上記構造の摺接部としたが、スライダー８との摺接をガイドする構造であれば、断面凹状溝等の切欠き溝であってもよい。
【００２３】
次いで、前記操作レバー６は詳細には図５及び図６に示されるように、回動中心側部分に回動軸４が一体的に設けられた部材であり、その内面側には窪み状の空間が形成されている。この空間は、縦方向に長く立方体状の空間として形成されたスライダー８の第１設置空間６Ａと、この第１設置空間６Ａに連続して前記回動軸４を含む範囲に形成された作動部材７の第２設置空間６Ｂとからなる。また、前記第２設置空間６Ｂ内には作動部材７を揺動可能に支持するための揺動軸孔６ａが形成され、前記回動軸４の隣接部にはクレセント５に形成された通孔５ｂ（図３参照）に係合し、操作レバー６の回動に伴ってクレセント５を同調的に回動させるための突部６ｂが形成されている。また、前記第１設置空間６Ａを形成している一方側の側壁部には切欠きによって、施錠時にスライダー８に設けたマーカー部１２を覗かせるための窓部６ｃが形成されている。
【００２４】
前記第１設置空間６Ａに設置されるスライダー８は、詳細には図７に示されるように、下部側にバネ設置孔部８ａが形成されるとともに、先端側側部には作動部材７の突部７ｂが係合する線状溝８ｂが形成されているとともに、前記ベース部材３の第１及び第２摺接部３ｃ、３ｄに係合する第１摺接係合部８ｃと第２摺接係合部８ｄとが形成されている。図９に示されるように、第１摺接係合部８ｃはボス部３Ｂの第１摺接部３ｃの側面形状に整合するように円弧状に形成された係合部であり、ボス部３Ｂの第２摺接部３ｄにおいては前記第１摺接係合部８ｃと第２摺接係合部８ｄとによって形成される隅部が摺接するようになっている。なお、前記線状溝８ｂは回動軸４を中心とする仮想円（回動方向）に対して接線方向となる、部材幅方向に沿って形成されている。また、前記スライダー８のバネ設置孔部８ａが形成された函体部の一側面（前記操作レバー６の窓部６ｃ形成面に対応する面）には、地色と異なるように着色されたマーカー部１２が設けられている。このマーカー部１２は、図示例ではシールを貼設するようにしたが、後述の第２形態例のように埋込みによって設けるようにしてもよいし、塗装によってもよい。
【００２５】
一方、前記作動部材７は、詳細には図８に示されるように、屈曲形状を成す平板状部材であり、一方面側の中間部に揺動軸７ａが形成されているとともに、他方面側の下端に前記スライダー８の線状溝８ｂに係合する突部７ｂが形成されている。また、上端部にはクレセント受け金具との当接部７ｃが形成されている。
【００２６】
前記操作レバー６、作動部材７及びスライダー８の組立ては、図５に示されるように、操作レバー６の第２設置空間６Ｂ部分に対し、作動部材７の揺動軸７ａを第２設置空間６Ｂに形成された揺動軸孔６ａに嵌入させるようにしながら回動軸４の隣接位置に設置するとともに、スライダー８はバネ設置孔８ａ内部にバネ部材９を内設した状態で第１設置空間６Ａに設置する。最後に、断面コ字状のカバー材１０を前記スライダー８を囲むようにしながら第１設置区間６Ａに嵌入する。前記スライダー８は、前記バネ部材９による弾発力によってクレセント５側に向けて常時、付勢されるようになっている。
【００２７】
また、クレセント５及びベース部材３との組立ては、図３に示されるように、操作レバー６の回動軸４をクレセント５の軸孔５ａに挿入するとともに、操作レバー６に形成された突部６ｂをクレセント５に形成された通孔５ｂに嵌合させることによって操作レバー６と一体的にクレセント５が回動するように、前記クレセント５を装着したならば、ベース部材３の軸孔３ｂに挿通し、裏面側において抜脱不能に止めるようにする。この組立て状態では、前記スライダー８の摺接係合部８ｃが、ボス部３Ｂの第１摺接部３ｃに対して係合している。
【００２８】
次いで、本クレセント錠１における作動状態を図９及び図１０により説明する。図９(A)は室内障子及び室外障子が共に閉鎖された状態で施錠操作が成された場合（正常施錠時）のスライダー８の作動状態を示し、図９(B)は室内障子及び／又は室外障子が開かれた状態で施錠操作が成された場合（不正施錠時）のスライダー８の作動状態を示したものである。
【００２９】
図９(A)に示す正常施錠の場合には、操作レバー６を回動させると、前記スライダーが付勢力に抗してスライド動作し、前記スライダー８先端の第２摺接係合部８ｄが第２摺接部３ｄ（乗上げ摺接部）に乗り上げた状態となる。この乗上げ状態では、スライダー８に形成されたマーカー部１２が操作レバー６に形成した窓部６ｃまで移動しており、操作レバー６を１８０度回動させた状態で、室内側から前記窓部６ｃを通してマーカー部１２が視認できるようになっている。一方、図９(B)に示す不正施錠の場合には、スライダー８先端の第１摺接係合部８ｃは第２摺接部３ｄに乗り上げることなく、回動終端まで第１摺動部３ｃに摺接し、スライダー８は位置不動とされ、操作レバー６を１８０度回動させた状態で、前記窓部６ｃにはマーカー部１２が現れないようになっている。
【００３０】
以下、順に正常施錠時と、不正施錠時について、作動部材７とスライダー８との作動メカニズムについて詳述する。
【００３１】
〈正常施錠時〉
図１０(A)は操作レバー６が下向きとなる解錠状態（図１参照）を示したものである。本ケースでは、室内障子及び室外障子が共に閉鎖された状態であるため、クレセント作動部材７の対向位置にはクレセント受け金具１１が定位している。
【００３２】
この状態で、操作レバー６を徐々に回動させると、図１０(B)に示されるように、作動部材７の当接部７ｃがクレセント受け金具１１に当接する。前記当接部７ｃがクレセント受け金具１１に当接しても、前記スライダー８に形成された線状溝８ｂ内を作動部材７の突部７ｂが摺動することにより前記操作レバー６の回動が許容される。その後、引き続き操作レバー６を回動させると、作動部材７は僅かながら揺動しながら、スライダー８は徐々に付勢力に抗して押し込まれ、図１０(C)の状態でスライダー８先端の第２摺接係合部８ｄが第２摺接部３ｄに乗り上げた状態となる。その後は前記第２摺接係合部８ｄが第２摺接部３ｄに乗り上げた状態のまま、操作レバー６が回動操作され、最終的に操作レバー６が１８０°回動された図１０(G)の状態では、スライダー８が深部まで移動し、操作レバー６の窓部６ｃからマーカー部１２が視認可能な状態となって施錠が完了する。
【００３３】
〈不正施錠時〉
一方、室内障子及び／又は室外障子が開かれた状態で施錠操作が成された場合には、前記作動部材７はクレセント受け金具１１に接触することはないため、操作レバー６の回動を阻害する要因がないため、スライダー８先端の第１摺接係合部８ｃは第２摺接部３ｄに乗り上げることなく、回動終端まで第１摺動部３ｃに摺接したまま回動されるため、作動部材７及びスライダー８に動作はなく、操作レバー６を１８０°回動させた状態では、操作レバー６の窓部６ｃにマーカー部１２は現れない。
【００３４】
〔第２形態例〕
次いで、図１１〜図１５に基づいて、本発明の第２形態例について詳述する。
【００３５】
本クレセント錠１Ａにおいても、室内障子及び室外障子が共に閉鎖された状態にある時に施錠が成された場合、前記スライダー１３に設けられたマーカー部１２が、前記操作レバー６に形成された窓部６ｃを通し室内側から視認可能とした点は同様である。しかし、上記第１形態例では、スライダー８を作動部材７を介して移動させるようにしたのに対して、本第２形態例では、スライダー１３が直接クレセント受け金具１１に当接し、その反力により移動するようにした点で異なっている。
【００３６】
以下、相違点を主に本クレセント錠１Ａについて具体的に詳述すると、
前記ベース部材３は、図１２及び図１３に示されるように、上記形態例とほぼ同様の構造を採用しているが、上記第１形態例では、第２摺接部３ｄを前記第１摺接部３ｃよりも低く形成したが、本第２形態例では同じ高さとした点で異なっている。
【００３７】
また、クレセント５に関し、上記第１形態例では、操作レバー６の回動軸４をクレセント５の軸孔５ａに挿入するとともに、操作レバー６に形成された突部６ｂをクレセント５に形成された通孔５ｂに嵌合させることによって操作レバー６と一体的にクレセント５が回動するようにしたが、本第２形態例では、クレセント５の軸孔５ａを小判形状とするとともに、操作レバーの回動軸４の基端部を小判断面とすることにより、操作レバー６と一体的にクレセント５が回動するようにしている。
【００３８】
一方、前記スライダー１３は、詳細には図１４に示されるように、中間部に操作レバー６の回動軸４の基端部（楕円形状部）が挿通されるとともに、該スライダー１３が移動可能なように前記回動軸４の長径部よりも長径寸法の大きい軸孔部１３ａが形成された小片部材で、先端側には、クレセント受け金具１１と当接するとともに、摺接しながらクレセント受け金具１１を乗り越える当接摺動部１３ｂが形成されるとともに、下部側にはバネ設置部１３ｃが形成され、かつ一方側の側面にマーカー部１２が埋込み状態で設置されている。また、裏面側（ベース部材３側）の面には、ベース部材に形成された第１摺接部３ｃ、第２摺接部３ｄに対して摺接する摺接係合部１３ｄが形成されている。
【００３９】
前記クレセント錠１Ａの組立ては、図１２に示されるように、スライダー１３のバネ設置孔１３ｃ部にバネ部材９を嵌設するとともに、操作レバー６の回動軸４をスライダー１３の軸孔１３ａに挿入させるようにしながら、スライダー１３を操作レバー６の設置空間に嵌め込み、かつ操作レバー６の回動軸４をクレセント５の軸孔５ａに挿入するとともに、ベース部材３の軸孔３ｂに挿通し、裏面側において抜脱不能に止めるようにする。この組立て状態では、前記スライダー１３の摺接係合部１３ｄはボス部３Ｂの第１摺接部３ｃに対して係合している。
【００４０】
次いで、本クレセント錠１Ａにおける作動状態を図１５により説明する。図１５は室内障子及び室外障子が共に閉鎖された状態で施錠操作が成された場合（正常施錠時）のスライダー１３の作動状態を示したものである。
【００４１】
同図に示されるように、操作レバー６を徐々に回動させると、図１５(B)に示されるように、スライダー１３の当接摺動部１３ｂがクレセント受け金具１１に当接する。引き続き操作レバー６を回動させると、スライダー１３は当接による反力により徐々に付勢力に抗して押し込まれ、図１５(F)の状態でスライダー１３の摺接係合部１３ｄが第２摺接部３ｄに乗り上げた状態となる。その後は前記摺接係合部１３ｄが第２摺接部３ｄに乗り上げた状態のまま、操作レバー６が回動操作され、最終的に操作レバー６が１８０°回動された図１５(G)の状態では、操作レバー６の窓部６ｃからマーカー部１２が視認可能な状態となって施錠が完了する。
【００４２】
一方、室内障子及び／又は室外障子が開かれた状態で施錠操作が成された場合には、前記スライダー１３はクレセント受け金具１１に接触することはないため、スライダー１３の移動はなく、操作レバー６を１８０°回動させた状態では、操作レバー６の窓部６ｃにマーカー部１２は現れない。
【図面の簡単な説明】
【００４３】
【図１】本発明の第１形態例に係るクレセント錠１を示す正面図である。
【図２】クレセント錠１の施錠状態を示す、(A)は正面図、(B)は側面図である。
【図３】クレセント錠１の分解図である。
【図４】ベース部材３を示す、(A)は左側面図、(B)は正面図、(C)は右側面図、(D)は底面図である。
【図５】操作レバー６側部分の分解図（一部組立）である。
【図６】操作レバー６を示す、(A)は裏面図、(B)は側面図、(C)は正面図である。
【図７】スライダー８を示す、(A)は裏面図、(B)は側面図、(C)は正面図である。
【図８】作動部材７を示す、(A)は左側面図、(B)は正面図、(C)は右側面図、(D)は平面図である。
【図９】スライダー８の(A)は正常施錠時の作動状態を示し、(B)は不正施錠時の作動状態を示す図である。
【図１０】正常施錠時における作動部材７及びスライダー８の作動図(A)〜(G)である。
【図１１】本発明の第２形態例に係るクレセント錠１Ａを示す、(A)は正面図、(B)は側面図である。
【図１２】クレセント錠１Ａの分解図である。
【図１３】ベース部材３を示す、(A)は左側面図、(B)は正面図、(C)は右側面図である。
【図１４】スライダー１３を示す、(A)は左側面図、(B)は正面図、(C)は右側面図、(D)は平面図である。
【図１５】正常施錠時におけるスライダー１３の作動図(A)〜(G)である。
【図１６】従来のクレセント錠を示す斜視図である。
【符号の説明】
【００４４】
１…クレセント錠、２…施錠側金物、３…ベース部材、４…回動軸、５…クレセント、６…操作レバー、６Ａ…第１設置空間、６Ｂ…第２設置空間、６ａ…揺動軸孔、６ｂ…突部、７…作動部材、７ａ…揺動軸、７ｂ…突部、７ｃ…当接部、８・１３…スライダー、８ａ…バネ設置孔、８ｂ…線状溝、８ｃ…第１摺接係合部、８ｄ…第２摺接係合部、９…バネ材、１０…カバー材
【図１】
2006037525.tif 000003
【図２】
2006037525.tif 000004
【図３】
2006037525.tif 000005
【図４】
2006037525.tif 000006
【図５】
2006037525.tif 000007
【図６】
2006037525.tif 000008
【図７】
2006037525.tif 000009
【図８】
2006037525.tif 000010
【図９】
2006037525.tif 000011
【図１０】
2006037525.tif 000012
【図１１】
2006037525.tif 000013
【図１２】
2006037525.tif 000014
【図１３】
2006037525.tif 000015
【図１４】
2006037525.tif 000016
【図１５】
2006037525.tif 000017
【図１６】
2006037525.tif 000018